(57)【特許請求の範囲】
【請求項１】
インキ壺内に貯えられたインキを壺ローラを介して版に供給し、この版に供給されたインキを印刷用紙に印刷する装置において、
装置本体を駆動する第１の駆動手段と、壺ローラを駆動する第２の駆動手段と、印刷開始前に、前記第２の駆動手段を駆動させる制御装置とを備えると共に、 前記インキ壺内のインキの温度を設定する設定器と、インキ壺内のインキの温度を測定する測定器とを備え、
前記制御装置は、前記設定器に設定されたインキ壺内のインキの温度と前記測定器より測定されたインキ壺内のインキの温度を比較し、前記設定器に設定されたインキ壺内のインキの温度と前記測定器より測定されたインキ壺内のインキの温度が等しくなるまで前記第２の駆動手段を駆動させることを特徴とするインキの温度制御装置。
【請求項２】
前記測定器を、測定位置と退避位置との間で移動可能に支持する支持部材を備えたことを特徴とする請求項１記載のインキの温度制御装置。
【請求項３】
前記測定器の位置を検出する位置検出器を備え、前記制御装置は、前記位置検出器が前記測定器が測定位置にあることを検出しない時には、前記第２の駆動手段を駆動しないようにすることを特徴とする請求項２記載のインキの温度制御装置。
【請求項４】
前記制御装置は、インキの温度が予め設定された温度に到達すると、壺ローラの運転が、壺キーのプリセットが行われた状態でインキが漏れることを防ぐと共に温調を終了したインキの状態を維持するために必要な低速運転に切り換わるように前記第２の駆動手段を駆動制御することを特徴とする請求項１記載のインキの温度制御装置。
【請求項５】
前記制御装置は、インキの温度制御が始まると、壺キーの開き量と壺ローラの回転量を予め設定された設定値にプリセットした後、壺ローラの連続運転がおこなわれるように前記第２の駆動手段を駆動制御することを特徴とする請求項１記載のインキの温度制御装置。
【請求項６】
インキ壺内に貯えられたインキを壺ローラを介して版に供給し、この版に供給されたインキを印刷用紙に印刷する装置におけるインキ壺内のインキの温度制御方法であって、
制御装置により、印刷開始前に、壺ローラを駆動する第２の駆動手段を駆動させると共に、前記インキ壺内のインキの温度を設定器で設定し、かつ前記インキ壺内のインキの温度を測定器で測定する一方、
前記制御装置は、前記設定器に設定されたインキ壺内のインキの温度と前記測定器より測定されたインキ壺内のインキの温度を比較し、前記設定器に設定されたインキ壺内のインキの温度と前記測定器より測定されたインキ壺内のインキの温度が等しくなるまで前記第２の駆動手段を駆動させることを特徴とするインキの温度制御方法。
【請求項７】
前記測定器を支持部材により、測定位置と退避位置との間で移動可能に支持することを特徴とする請求項６記載のインキの温度制御方法。
【請求項８】
前記測定器の位置を位置検出器で検出し、前記制御装置は、前記位置検出器が前記測定器が測定位置にあることを検出しない時に前記第２の駆動手段を駆動しないようにすることを特徴とする請求項７記載のインキの温度制御方法。
【請求項９】
前記制御装置により、インキの温度が予め設定された温度に到達すると、壺ローラの運転が、壺キーのプリセットが行われた状態でインキが漏れることを防ぐと共に温調を終了したインキの状態を維持するために必要な低速運転に切り換えられることを特徴とする請求項６記載のインキの温度制御方法。
【請求項１０】
前記制御装置により、インキの温度制御が始まると、壺キーの開き量と壺ローラの回転量を予め設定された設定値にプリセットされた後、壺ローラが連続運転されることを特徴とする請求項６記載のインキの温度制御方法。
【発明の詳細な説明】
【０００１】
【発明の属する技術分野】
本発明は、印刷機等のインキ装置におけるインキ壺内のインキの温度制御装置及び温度制御方法に関するものである。
【０００２】
【従来の技術】
印刷機のインキ装置は、左右のフレームに軸支されて回転する壺ローラと、この壺ローラの周面と両端部のせき、及び壺キー（インキブレード）で形成される断面三角形状のインキ壺とを備えており、インキ壺内に貯えられたインキは、壺ローラの回転によりその周面と壺キー先端とのすき間から流出して壺ローラの周面に付着する。
【０００３】
壺ローラの近傍には、これと平行する練りローラが軸架されており、壺ローラの周面に付着したインキは、アームに支持されてその揺動により壺ローラと練りローラとの間を往復動する移しローラによって練りローラに転移し、このあと多数のローラ群間で転移する間に各方向へ均一にならされた後、着けローラで版胴上の版面に供給される。
【０００４】
ところで、前記インキ装置にあっては、新たに印刷作業を始める場合、インキ壺のインキ温度は常に正常な印刷作業が出来る様に、適切な温度を保っていることが望ましい。即ち、インキ壺内のインキの温度が不適切であると、インキの供給が不安定となり、試し刷りと本刷り作業を正常に行うことが出来ないのである。
【０００５】
そのために、従来では、印刷室の空調設備を常に運転したり、或いは印刷作業の開始前に印刷機の暖機運転を行って、印刷機を連続稼働時の状態に近づけるようにしている。
【０００６】
また、これ以外の方法として、インキを様々な手段で予め柔らかくした状態で印刷を始めるようにしている。
【０００７】
【発明が解決しようとする課題】
しかしながら、前者の方法により印刷作業を開始しても、インキは必ずしも必要な温度条件を満たしていない場合が多く、印刷品質を十分に確保することが困難であった。
【０００８】
また、後者の方法では、インキの状態が不安定な事もあり、オペレータは常に試し刷りの結果を確認して、インキを直接ヘラでローラ群に供給したり、或いは供給過剰となったインキを除去する等の補正作業を行うことが多かった。これらの作業は、高いスキルを必要とするため、オペレータの作業負荷増大に結びついている。また、本来これらの作業は不要であり、生産性を阻害すると共に印刷資材等の無駄な消耗に結び付き生産コストを押し上げていた。
【０００９】
そこで、本発明の目的は、インキ壺内のインキの温度をプログラムで制御することによりオペレータの作業負荷を軽減し、印刷品質と生産性の向上が図れるインキの温度制御装置及び温度制御方法を提供することにある。
【００１０】
【課題を解決するための手段】
上記目的を達成するための本発明に係るインキの温度制御装置は、
インキ壺内に貯えられたインキを壺ローラを介して版に供給し、この版に供給されたインキを印刷用紙に印刷する装置において、
装置本体を駆動する第１の駆動手段と、壺ローラを駆動する第２の駆動手段と、印刷開始前に、前記第２の駆動手段を駆動させる制御装置とを備えると共に、 前記インキ壺内のインキの温度を設定する設定器と、インキ壺内のインキの温度を測定する測定器とを備え、
前記制御装置は、前記設定器に設定されたインキ壺内のインキの温度と前記測定器より測定されたインキ壺内のインキの温度を比較し、前記設定器に設定されたインキ壺内のインキの温度と前記測定器より測定されたインキ壺内のインキの温度が等しくなるまで前記第２の駆動手段を駆動させることを特徴とする。
また、前記測定器を、測定位置と退避位置との間で移動可能に支持する支持部材を備えたことを特徴とする。
また、前記測定器の位置を検出する位置検出器を備え、前記制御装置は、前記位置検出器が前記測定器が測定位置にあることを検出しない時には、前記第２の駆動手段を駆動しないようにすることを特徴とする。
また、前記制御装置は、インキの温度が予め設定された温度に到達すると、壺ローラの運転が、壺キーのプリセットが行われた状態でインキが漏れることを防ぐと共に温調を終了したインキの状態を維持するために必要な低速運転に切り換わるように前記第２の駆動手段を駆動制御することを特徴とする。
また、前記制御装置は、インキの温度制御が始まると、壺キーの開き量と壺ローラの回転量を予め設定された設定値にプリセットした後、壺ローラの連続運転がおこなわれるように前記第２の駆動手段を駆動制御することを特徴とする。
【００１４】
上記目的を達成するための本発明に係るインキの温度制御方法は、
インキ壺内に貯えられたインキを壺ローラを介して版に供給し、この版に供給されたインキを印刷用紙に印刷する装置におけるインキ壺内のインキの温度制御方法であって、
制御装置により、印刷開始前に、壺ローラを駆動する第２の駆動手段を駆動させると共に、前記インキ壺内のインキの温度を設定器で設定し、かつ前記インキ壺内のインキの温度を測定器で測定する一方、
前記制御装置は、前記設定器に設定されたインキ壺内のインキの温度と前記測定器より測定されたインキ壺内のインキの温度を比較し、前記設定器に設定されたインキ壺内のインキの温度と前記測定器より測定されたインキ壺内のインキの温度が等しくなるまで前記第２の駆動手段を駆動させることを特徴とする。
また、前記測定器を支持部材により、測定位置と退避位置との間で移動可能に支持することを特徴とする。
また、前記測定器の位置を位置検出器で検出し、前記制御装置は、前記位置検出器が前記測定器が測定位置にあることを検出しない時に前記第２の駆動手段を駆動しないようにすることを特徴とする。
また、前記制御装置により、インキの温度が予め設定された温度に到達すると、壺ローラの運転が、壺キーのプリセットが行われた状態でインキが漏れることを防ぐと共に温調を終了したインキの状態を維持するために必要な低速運転に切り換えられることを特徴とする。
また、前記制御装置により、インキの温度制御が始まると、壺キーの開き量と壺ローラの回転量を予め設定された設定値にプリセットされた後、壺ローラが連続運転されることを特徴とする。
【００１８】
【発明の実施の形態】
以下、本発明に係るインキの温度制御装置及び温度制御方法を実施例により図面を用いて詳細に説明する。
【００１９】
［実施例］
図１は本発明の一実施例を示す印刷機の側面図、図２は同じくインキ装置の要部側面図、図３は同じく壺ローラ周りの側面図、図４は同じく図３のIV矢視図、図５は同じく操作パネルの正面図、図６は同じく制御ブロック図、図７は同じくインキ温度制御のフローチャート、図８は同じく異なったインキ温度制御のフローチャートである。
【００２０】
図１に示すように、印刷機１は給紙部２と四つの印刷ユニット３ａ，３ｂ，３ｃ，３ｄからなる印刷部３と排紙部４とを備えると共に、排紙部４の後方には印刷品質制御装置（通称ＰＱＣと言う）５が設置される。
【００２１】
各印刷ユニット３ａ，３ｂ，３ｃ，３ｄのインキ装置６は、図２に示すように、左右のフレーム７に軸支されて回転する壺ローラ８と、この壺ローラ８の周面と両端部のせき９、及び壺キー１０で形成される断面三角形状のインキ壺１１とを備えており、インキ壺１１内に貯えられたインキＷは、壺ローラ８の回転によりその周面と壺キー１０先端とのすき間から流出して壺ローラ８の周面に付着するようになっている。
【００２２】
そして、壺ローラ８の近傍には、これと平行する練りローラ１２が軸架されており、壺ローラ８の周面に付着したインキは、アームに支持されてその揺動により壺ローラ８と練りローラ１２との間を往復動する移しローラ１３によって練りローラ１２に転移し、このあと振りローラ１４を含む多数のローラ群１５間で転移する間に各方向へ均一にならされた後、着けローラ１６で版胴上の版面１７に供給されるようになっている。
【００２３】
図３及び図４に示すように、前記壺ローラ８の軸端は該壺ローラ８を駆動する第２の駆動手段としてのモータ２０と接続され、本機を駆動する第１の駆動手段（図示せず）から分離して駆動されてその送り量（回転量）が可変となっている。また、前記壺キー１０も図示しないモータに駆動され、その開き量が可変となっている。
【００２４】
さらに、前記左右のフレーム７間に架設された回転軸２１の左右方向中間部にはホルダ２２の下端部が固着され、該ホルダ２２の上端部に前記インキ壺１１内のインキＷの温度を検出する、放射温度計等の検出器２３が取り付けられる。
【００２５】
前記検出器２３は、回転軸２１の回転により測定位置（第１の位置）と退避位置（第２の位置）とに移動可能になっており、前記回転軸２１の一端に固設したレバー２４を介してその位置が検出器位置確認用の検知器２５により検知されるようになっている。本実施例では、前記検知器２５はフレーム７の外側面に取着され、前記検出器２３が測定位置（図中実線位置）にある時にレバー２４と係合して電気信号を出力するようになっている。
【００２６】
一方、前記回転軸２１の他端には、円弧状長孔２６ａ付きのレバー２６が固設され、前記長孔２６ａ内に摺動自在に嵌合したストッパピン２７により、レバー２６の回動位置が２位置に規制されるようになっている。即ち、前記検出器２３が測定位置と退避位置とに選択的に位置決め固定されるのである。
【００２７】
前記排紙部４のパネル３０には、図５に示すように、インキ壺１１のインキ温度を設定管理する壺インキ温度プリセット装置３１と、インキ装置６の振りローラ１４等の温度管理を行う、図示しない温調システムを運転操作する押し釦３２及び印刷ユニット選択用の六個の押し釦３３と、検出器２３の位置確認用の六個の表示灯３４が設けられている。
【００２８】
さらに、パネル３０には、インキ壺１１内のインキＷの温度制御を単独操作する六個の押し釦３５と、温調の方法を選択するセレクトスイッチ３６及びプロダクトのスタート釦３７等各種釦が設けられる。
【００２９】
また、前記壺インキ温度プリセット装置３１は、ＯＮ−ＯＦＦスイッチ３１ａによる装置３１のＯＮ−ＯＦＦ操作と、三個の押し釦３１ｂによる温度設定と、六個の表示キー３１ｃによる温調終了と、表示部３１ｄによる設定温度表示等の諸機能が付与されている。
【００３０】
前記排紙部４後方の印刷品質制御装置５に内蔵されたコントローラ４０には、図６に示すように、フロッピー・ディスク又は磁気カードドライブ（４１）を介してフロッピー・ディスク又は磁気カードに記録保存されている印刷データーやインキ温度測定器（検出器２３）からのインキ温度信号及びパネル３０上のスイッチ群（３２，３３，３５，３６，３７，３１ａ，３１ｂ）や表示灯群（３４，３１ｃ）からの信号が入力され、これらの信号に基づいて前述した壺ローラ駆動用モータ（２０）や壺キー駆動用モータ（４２）がロータリーエンコーダ（４３）やポテンショメータ（４４）によりフィードバック制御されてインキ壺１１内のインキＷの温度制御が行われると共に、印刷機の制御装置（４５）やインキ壺１１内のインキＷの目標温度設定器（４６）が制御されるようになっている。
【００３１】
このように構成されるため、印刷作業を始める場合、オペレータは図７又は図８に示すインキ温度制御のフローチャートに従って前準備作業を進めることになる。
【００３２】
即ち、印刷機１の排紙部４に設けられたパネル３０上の印刷ユニット選択用の押し釦３３で印刷ユニット３ａ〜３ｄの選択を行うと共に、検出器２３の位置を示す表示灯３４が点灯していることを確認した後、温調システム用の押し釦３２でＯＮ操作を行う（図７のステップＰ１〜ステップＰ５参照）。
【００３３】
押し釦３２でＯＮ操作を行うと、印刷品質制御装置５に内蔵されたコントローラ４０によって、インキ壺１１の中に貯えられているインキＷの温度制御が自動的に開始される。この説明では、印刷ユニット３ａ〜３ｄの選択を先に行っているが、前記温調システム用の押し釦３２でＯＮ操作を先に行った後で、印刷ユニット３ａ〜３ｄを選択しても良い。この際、給紙部２は後述するインキ温度の温調が完了するまで運転が不可の状態になる。
【００３４】
尚、各インキ装置６の上部に設置されている検出器２３は、インキ壺１１の中に貯えられているインキＷの温度を検出する測定位置（第１の位置）と、インキ壺１１等を清掃する場合に検出器２３を退避させる退避位置（第２の位置）とに選択的に位置決めされ、前記測定位置に検出器２３が有る場合、回転軸２１に固定されているレバー２４を検知器２５で検知し、パネル３０上に設けられている表示灯３４が点灯する。この表示灯３４が点灯していることにより、測定位置に検出器２３があることをオペレータは確認できる。退避位置に検出器２３がある場合は、検知器２５でレバー２４を検知しないので表示灯３４は点灯しない。印刷ユニット３ａ〜３ｄを選択しても、表示灯３４が点灯しなければ、前記コントローラによるインキ壺１１の中に貯えられているインキＷの温度制御は行われない。
【００３５】
インキ壺１１の中に貯えられているインキＷの温度制御は、印刷ユニット３ａ〜３ｄの選択と検出器２３が測定位置にあることを条件として、図示しない制御用プログラムで温度制御が行われる。温度制御が始まると、壺キー１０と壺ローラ８は予めプログラムで設定されている、設定値（例えば、壺キー１０の開き量をゼロ、また壺ローラ８の回転量は５０％等）に自動的にプリセットされた後、駆動用のモータ２０で壺ローラ８の連続運転が行われる（図７のステップＰ７参照）。
【００３６】
インキ壺１１の中に貯えられているインキＷは、壺ローラ８の連続運転により温度の上昇が始まり、測定位置にある検出器２３は、制御の開始と共にインキ温度の計測を始める。そして、インキ壺１１内のインキＷの最適温度は、パネル３０上に設けられている壺インキ温度プリセット装置３１で予め設定されており、検出器２３で計測した値と自動照合が各印刷ユニット３ａ〜３ｄ毎に行われる（図７のステップＰ８参照）。
【００３７】
インキの温度が、予め設定されていた温度に到達すると、壺インキ温度プリセット装置３１の表示キー３１ｃが点灯し、続いて壺ローラ８の運転はプログラム制御によって、印刷データーに基づいて壺キー１０のプリセットが行われた状態でインキが漏れることを防ぐとともに、温調を終了したインキの状態を維持するために、必要な低速運転に切り換えられる（図７のステップＰ９〜ステップＰ１２参照）。印刷作業の開始に先立って、オペレータがプロダクトスイッチのスタート釦３７をＯＮ操作すると、壺ローラ８の送り量は既に印刷品質制御装置５に内蔵されたコントローラ４０に入力済みとなっている、印刷データーの設定値に自動的に切り換えられる（図７のステップＰ１６参照）。
【００３８】
全ての選択されている印刷ユニット３ａ〜３ｄの、インキ壺１１の中に貯えられているインキＷの温度が予め設定されていた値に到達すると、選択されている表示キー３１ｃが点灯して、インキＷの温度制御が終了したことを表示する。この表示により、オペレータが並行して進めていた各種の前準備作業が終われば、印刷作業を開始する全ての条件が整った状態になる（図７のステップＰ１５参照）。
【００３９】
インキＷの温度制御が終了すると、フロッピー・ディスク又は磁気カード等に記録されている、印刷データーは印刷品質制御装置５のコントローラ４０に予め入力されているので、新たに始める印刷作業で使用する刷版の絵柄に対応した、壺キー開き量のデーターが各印刷ユニット３ａ〜３ｄ毎に連続してプリセットされる（図７のステップＰ１２参照）。オペレータは壺キー開き量のプリセットが終了したことを確認し、プロダクトスイッチのスタート釦３７をＯＮ操作すると、壺ローラ８の回転量は印刷データーで設定されている値に自動的に切り替わり、試し刷り作業が開始される（図７のステップＰ１５及びステップＰ１６参照）。前記コントローラ４０に未だ印刷データーが入力されていない場合は、インキＷの温度制御が行われている途中若しくは温度制御の終了後でも、印刷データーのプリセットを単独で行うことができる（図７のステップＰ１３及びステップＰ１４参照）。
【００４０】
前記セレクトスイッチ３６では、『連動』・『単独』・『切り』を選択することができる（図７のステップＰ２参照）。『連動』を選択した場合、温調システム用の押し釦３２のＯＮ操作と連動して、インキＷの温度制御が行われる。
【００４１】
一方、色替え作業等でインキＷを交換した後に、インキＷの温度制御を行う場合は、既に、温調システムの運転が始まっているので、セレクトスイッチ３６で『単独』を選択して、温度制御が必要な印刷ユニット３ａ〜３ｄを壺インキ単独設定用の押し釦３５で選択すると、インキＷの温度制御を単独で行うことができる（図８のステップＰ２及びステップＰ３参照）。
【００４２】
インキ温度の単独制御は、他の前準備作業と並行して行うこともできるし、また、本刷り作業を行っている場合でも本刷りをしていない印刷ユニット３ａ〜３ｄであれば、単独でインキの温度制御を行うことができる。但し、この場合、検出器２３が測定位置にあることが条件で、退避位置に検出器２３がある場合、壺インキ単独設定用の押し釦３５を操作しても、インキＷの温度制御を行うことはできない。この場合、検出器２３を測定位置に変更すれば、温度制御を行うことは可能となる（図８のステップＰ６参照）。セレクトスイッチ３６で『切り』を選択した場合、検出器２３が測定位置にあっても、或いは印刷ユニット３ａ〜３ｄで本刷りをしていない状態であっても、インキＷの温度制御は一切行われない。
【００４３】
壺インキ温度プリセット装置３１には、インキＷの最適温度を予め設定する機能と、インキＷの温度制御が終了したことを表示する機能を有している。オペレータはＯＮ−ＯＦＦスイッチ３１ａで、壺インキ温度プリセット装置３１のＯＮ操作を行った後、押し釦３１ｂを操作してインキＷの最適温度の設定を行う。この場合、オペレータは表示キー３１ｃで必要な個々の印刷ユニット３ａ〜３ｄを選択して設定値の入力を行うと、表示部３１ｄに入力値が表示される。
【００４４】
また、予め入力設定した値を確認する場合、若しくは入力設定値の変更を行う場合は、表示キー３１ｃで必要な印刷ユニット３ａ〜３ｄの選択を行い、表示部３１ｄに表示された数値を確認して、必要な操作を押し釦３１ｂで行う。インキＷの温度制御が始まると、検出器２３で計測された温度と予め壺インキ温度プリセット装置３１に入力された、設定値との照合が自動的に行われインキＷの温度が設定値に到達すると、表示キー３１ｃが点灯してインキＷの温度制御が終了したことをオペレータに知らせる（図７のステップＰ８及びステップＰ９参照）。
【００４５】
表示キー３１ｃで、インキＷの温度制御の終了を表示するのは、印刷ユニット選択用の押し釦３３若しくは壺インキ単独設定用の押し釦３５で選択されている印刷ユニット３ａ〜３ｄのみである。また、本刷り中の印刷ユニット３ａ〜３ｄでは、インキ温度の計測と計測値の表示、及びインキ温度の計測値が設定値とほぼ等しいことを表す表示キー３１ｃの点灯等を行うが、インキ壺１１内に貯えられたインキＷの温度制御は行わない。
【００４６】
尚、本発明は上記実施例に限定されず、本発明の要旨を逸脱しない範囲で各種変更が可能であることはいうまでもない。例えば、検出器２３の位置検知用のレバー２４と位置規制用のレバー２６を、個別に分けて構成しているが、位置規制用のレバー２６と検知器２５の組み合わせで片側一箇所で構成することもできる。
【００４７】
【発明の効果】
以上説明したように本発明によれば、インキ壺内に貯えられたインキを壺ローラを介して版に供給し、この版に供給されたインキを印刷用紙に印刷する装置において、装置本体を駆動する第１の駆動手段と、壺ローラを駆動する第２の駆動手段と、印刷開始前に、前記第２の駆動手段を駆動させる制御装置とを備えたことを特徴とするので、印刷室の空調設備を常に運転したり、或いは印刷作業の開始前に印刷機の暖機運転を行って印刷機を連続稼働時の状態に近づけることなしに、印刷開始前に、インキ壺内に貯えられたインキの温度を適正に制御することが出来、それに依って、インキを様々な手段で予め柔らかくした状態で印刷を開始し、オペレータがインキを直接ヘラでローラ群に供給したり或いは供給過剰となったインキを除去する等の補正作業を行うことなしに、適正な印刷を開始することができ、依って、オペレータの作業負荷を軽減し、印刷品質と生産性の向上が図れる。
また、前記インキ壺内のインキの温度を設定する設定器と、インキ壺内のインキの温度を測定する測定器とを備え、前記制御装置は、前記設定器に設定されたインキ壺内のインキの温度と前記測定器より測定されたインキ壺内のインキの温度を比較し、前記設定器に設定されたインキ壺内のインキの温度と前記測定器より測定されたインキ壺内のインキの温度が等しくなるまで前記第２の駆動手段を駆動させるので、第２の駆動手段を無駄に駆動させずに済む上に、インキの温度を、正確に制御することができる。
また、前記測定器を、測定位置と退避位置との間で移動可能に支持する支持部材を備えたので、インキ壺等の清掃時に測定器が邪魔になることはない。
また、前記測定器の位置を検出する位置検出器を備え、前記制御装置は、前記位置検出器が前記測定器が測定位置にあることを検出しない時には、前記第２の駆動手段を駆動しないようにするので、壺ローラをいつまでも回転し続ける等の誤動作を回避できる。
【図面の簡単な説明】
【図１】本発明の一実施例を示す印刷機の側面図である。
【図２】同じくインキ装置の要部側面図である。
【図３】同じく壺ローラ周りの側面図である。
【図４】同じく図３のIV矢視図である。
【図５】同じく操作パネルの正面図である。
【図６】同じく制御ブロック図である。
【図７】同じくインキ温度制御のフローチャートである。
【図８】同じく異なったインキ温度制御のフローチャートである。
【符号の説明】
１  印刷機
２  給紙部
３  印刷部
４  排紙部
５  印刷品質制御装置
６  インキ装置
７  フレーム
８  壺ローラ
９  せき
１０  壺キー
１１  インキ壺
１２  練りローラ
１３  移しローラ
１４  振りローラ
１５  ローラ群
１６  着けローラ
１７  版面
２０  モータ
２１  回転軸
２２  ホルダ
２３  検出器
２４  レバー
２５  検知器
２６  レバー
２７  ストッパピン
３０  パネル
３１  壺インキ温度プリセット装置
３１ａ  ＯＮ−ＯＦＦスイッチ
３１ｂ  押し釦
３１ｃ  表示キー
３１ｄ  表示部
３２  押し釦
３３  押し釦
３４  表示灯
３５  押し釦
３６  セレクトスイッチ
３７  スタート釦
４０  コントローラ
４１  フロッピー・ディスク又は磁気カードドライブ
４２  壺キー駆動用モータ
４３  ロータリーエンコーダ
４４  ポテンショメータ
４５  印刷機の制御装置
４６  目標温度設定器
【図１】
0004080653.tif 000002
【図２】
0004080653.tif 000003
【図３】
0004080653.tif 000004
【図４】
0004080653.tif 000005
【図５】
0004080653.tif 000006
【図６】
0004080653.tif 000007
【図７】
0004080653.tif 000008
【図８】
0004080653.tif 000009